(57)【要約】【課題】複数のバッテリーを直列接続したバッテリー群中の劣化したバッテリーを判別するために負荷に影響を及ぼさずにバッテリー群に対し検査用の交流電圧を印加する回路を提供する。【解決手段】バッテリー群に対する交流電圧印加回路が、直列接続された複数のバッテリーからなるバッテリー群の両極間に直列接続された第１及び第２コンデンサと、バッテリー群を第１部分バッテリー群と第２部分バッテリー群とに分ける接続点と第１及び第２コンデンサの接続点に対し交流電圧を印加する交流電圧源とを有し、交流電圧の正又は負のサイクルのとき、第１部分バッテリー群にそれぞれ放電方向の電流又は充電方向の電流が流れるとともに、第２部分バッテリー群にそれぞれ充電方向の電流又は放電方向の電流が流れる。【選択図】図１
2007181365.tif 000002
【特許請求の範囲】
【請求項１】
直列接続された複数のバッテリーからなるバッテリー群の両極間に直列接続された第１コンデンサ及び第２コンデンサと、
前記バッテリー群を第１部分バッテリー群と第２部分バッテリー群とに分ける接続点と前記第１コンデンサ及び第２コンデンサの接続点に対し交流電圧を印加する交流電圧源とを有し、
前記交流電圧の正又は負のサイクルのとき、前記第１部分バッテリー群にそれぞれ放電方向の電流又は充電方向の電流が流れるとともに、前記第２部分バッテリー群にそれぞれ充電方向の電流又は放電方向の電流が流れることを特徴とするバッテリー群に対する交流電圧印加回路。
【請求項２】
直列接続された複数のバッテリーからなるバッテリー群の両極間に第１コンデンサと第２コンデンサとを直列接続し、
前記バッテリー群を第１部分バッテリー群と第２部分バッテリー群とに分ける接続点と前記第１コンデンサ及び第２コンデンサの接続点に対し交流電圧を印加し、
前記交流電圧の正又は負のサイクルのとき、前記第１部分バッテリー群にそれぞれ放電方向の電流又は充電方向の電流を流すとともに、前記第２部分バッテリー群にそれぞれ充電方向の電流又は放電方向の電流を流すことを特徴とするバッテリー群に対する交流電圧印加方法。
【請求項３】
前記第１部分バッテリー群に存在する各バッテリーの内部抵抗の初期値を該第１部分バッテリー群に存在する各バッテリーの内部抵抗の初期値の総和で除した値の逆数を補正係数とし、前記交流電圧印加時に各バッテリーの両端に発生する交流成分電圧を計測し、その値に比例する値に前記補正係数を乗算し、及び／又は、
前記第２部分バッテリー群に存在する各バッテリーの内部抵抗の初期値を該第２部分バッテリー群に存在する各バッテリーの内部抵抗の初期値の総和で除した値の逆数を補正係数とし、前記交流電圧印加時に各バッテリーの両端に発生する交流成分電圧を計測し、その値に比例する値に前記補正係数を乗算し、
この前記乗算された値に基づいて各バッテリーの内部抵抗の初期値からの変化を判定することを特徴とする請求項２に記載のバッテリー群に対する交流電圧印加方法。
【発明の詳細な説明】
【技術分野】
【０００１】
本発明は、複数のバッテリーを直列接続したバッテリー群における個々のバッテリーの内部抵抗を検査し、個々のバッテリーの劣化状況を判定するために、バッテリー群に対して交流電圧を印加する回路及び方法に関する。
【背景技術】
【０００２】
商用電源停電時において瞬断又は僅かな時間の停電さえも許されない電気機器がある。これらの機器には多数の直列接続されたバッテリーが商用電源のバックアップ用として供給されており、通信設備を有する施設、オフィスビルなどにはこれらが設置されている。バッテリーは経時変化により内部抵抗が増大し、その結果、バッテリーの出力が低下したり、外部負荷の始動が困難となったりする等の不具合が発生する。特に、複数のバッテリーを直列接続している場合、その中の１つのバッテリーにおいて集中的に劣化が進むことがよく見られる。いずれか１つのバッテリーの内部抵抗が増大しても全体に悪影響を及ぼすことになるため、どのバッテリーが劣化しているかを判別するための検査手段が必要となる。この検査は個々のバッテリーに対して行われるため、多くの稼働を要する。
【０００３】
特許文献１には、バッテリーに対して計測用の交流電流を流し、バッテリー端子間に発生する交流電圧を検出してバッテリーの内部抵抗を計測するバッテリテスタが記載されている。
【特許文献１】特開平９−２９７１６５号公報
【発明の開示】
【発明が解決しようとする課題】
【０００４】
バッテリーの内部抵抗は通常非常に小さいため、内部抵抗による電圧降下を計測する場合は交流を用いることが有利である。しかしながら、特許文献１のように検査用の交流電圧をバッテリーの両極間に印加し、交流成分のみを検出することにより内部抵抗を計測する方法では、バッテリーの両極間に負荷が接続されている場合、負荷にも交流電圧が印加され負荷に交流電流が流れることとなり機器の動作に悪影響を与える場合がある。
【０００５】
以上の現状に鑑み本発明は、複数のバッテリーを直列接続したバッテリー群中の劣化したバッテリーを判別するためにバッテリー群に対し計測用の交流電圧を印加する回路において、負荷を接続した状態であっても負荷に対して影響を及ぼさない回路を提供することを目的とする。さらに、バッテリーをフローティング充電していない状態、すなわちバッテリー単独の状態に本発明回路を接続動作させておいてもバッテリーが放電しきることはないことと、バッテリーがフローティング充電中であっても交流電圧を印加可能であり、また交流電圧の印加に起因してバッテリーの放電が生じないことを目的とする。
【課題を解決するための手段】
【０００６】
（１）請求項１に係るバッテリー群に対する交流電圧印加回路は、直列接続された複数のバッテリーからなるバッテリー群の両極間に直列接続された第１コンデンサ及び第２コンデンサと、
前記バッテリー群を第１部分バッテリー群と第２部分バッテリー群とに分ける接続点と前記第１コンデンサ及び第２コンデンサの接続点に対し交流電圧を印加する交流電圧源とを有し、
前記交流電圧の正又は負のサイクルのとき、前記第１部分バッテリー群にそれぞれ放電方向の電流又は充電方向の電流が流れるとともに、前記第２部分バッテリー群にそれぞれ充電方向の電流又は放電方向の電流が流れることを特徴とする。
【０００７】
（２）請求項２に係るバッテリー群に対する交流電圧印加方法は、直列接続された複数のバッテリーからなるバッテリー群の両極間に第１コンデンサと第２コンデンサとを直列接続し、
前記バッテリー群を第１部分バッテリー群と第２部分バッテリー群とに分ける接続点と前記第１コンデンサ及び第２コンデンサの接続点に対し交流電圧を印加し、
前記交流電圧の正又は負のサイクルのとき、前記第１部分バッテリー群にそれぞれ放電方向の電流又は充電方向の電流を流すとともに、前記第２部分バッテリー群にそれぞれ充電方向の電流又は放電方向の電流を流すことを特徴とする。
【０００８】
（３）請求項３に係るバッテリー群に対する交流電圧印加方法は、請求項２において、前記第１部分バッテリー群に存在する各バッテリーの内部抵抗の初期値を該第１部分バッテリー群に存在する各バッテリーの内部抵抗の初期値の総和で除した値の逆数を補正係数とし、前記交流電圧印加時に各バッテリーの両端に発生する交流成分電圧を計測し、その値に比例する値に前記補正係数を乗算し、及び／又は、
前記第２部分バッテリー群に存在する各バッテリーの内部抵抗の初期値を該第２部分バッテリー群に存在する各バッテリーの内部抵抗の初期値の総和で除した値の逆数を補正係数とし、前記交流電圧印加時に各バッテリーの両端に発生する交流成分電圧を計測し、その値に比例する値に前記補正係数を乗算し、
この前記乗算された値に基づいて各バッテリーの内部抵抗の初期値からの変化を判定することを特徴とする。
【発明の効果】
【０００９】
請求項１に記載のバッテリー群に対する交流電圧印加回路は、複数のバッテリーを直列接続したバッテリー群を第１と第２の２つの部分バッテリー群に分ける接続点と、上記バッテリー群の両極間に直列接続された第１コンデンサと第２コンデンサとの接続点との間に交流電圧源を設ける。これにより、双方の接続点には互いに逆極性の交流電圧がそれぞれ印加される。よって、交流電圧の正負サイクルにより第１部分バッテリー群には放電方向の電流と充電方向の電流が交互に流れ、逆に第２部分バッテリー群には充電方向の電流と放電方向の電流が交互に流れる。
なお、ここでいう「放電方向の電流」または「充電方向の電流」とは、その電流によりバッテリーが実質的に放電または充電されるか否かとは関係なく、バッテリーの極性に対して電流の流れる方向を示すために便宜上用いている。すなわち、バッテリーの負極に流れ込む電流を「放電方向の電流」を称し、正極に流れ込む電流を「充電方向の電流」と称している。
【００１０】
従って、交流電圧による第１部分バッテリー群と第２部分バッテリー群の放電方向の電流又は充電方向の電流に起因して各バッテリーの内部抵抗による電圧降下が生じる。そして、第１と第２の部分バッテリー群の各々の内部抵抗による電圧降下は互いに逆極性であるから、これらの電圧降下による電圧変動分は互いに相殺され、バッテリー群全体の両極間電圧は変化しない。
【００１１】
また、第１コンデンサと第２コンデンサは、電流の直流成分を遮断する役割を果たすとともに、第１部分バッテリー群と第２部分バッテリー群の各バッテリーに対する計測用の交流電圧の印加を可能とする。そして、第１コンデンサと第２コンデンサとして、両端間電圧を実質的に変動させないために必要な容量をもつコンデンサを用いることにより、直列接続された第１及び第２のコンデンサの両端間電圧も変化しない。
【００１２】
このように本回路は、バッテリー群に含まれる各バッテリーに計測用の交流電圧を印加できると同時に、バッテリー群全体の両極間電圧すなわち出力電圧を変動させない。このことは、バッテリー群の両極間に接続された負荷に対して交流電圧が印加されることはなく、また交流電圧による電流も負荷に流れないことを意味する。よって負荷に影響を及ぼすことなく各バッテリーに計測用の交流電圧を印加できる。
【００１３】
印加された交流電圧による各バッテリーの両極間電圧の交流成分を計測することにより各バッテリーの内部抵抗の変化を検出でき、それに基づいて劣化したバッテリーを判別することができる。
【００１４】
また、第１部分バッテリー群と第２部分バッテリー群の各々には放電方向の電流と充電方向の電流とが交互に流れるので、バッテリー群全体が放電しきったり充電しきったりすることがない。すなわち、交流電圧の印加に起因してバッテリー群の容量が変化することはない。本回路では、バッテリー群に印加する交流電圧は外部の交流電圧源から供給されるので、バッテリー群に蓄積されたエネルギーを消耗しない。
【００１５】
さらにまた、本回路は直流成分には影響を与えないため、外部直流電源でバッテリー群をフローティング充電しつつ本回路を用いて計測することも可能である。従って、フローティング充電を中断できない用途においても各バッテリーの検査が可能となる。
【００１６】
請求項２に記載のバッテリー群に対する交流電圧印加方法は、請求項１に係る発明と実質的同じであり同様の効果を奏する。
【００１７】
請求項３に記載のバッテリー群に対する交流電圧印加方法は、請求項２の方法において、部分バッテリー群に含まれる各バッテリーの内部抵抗の初期値を、その第１部分バッテリー群に存在する各バッテリーの内部抵抗の初期値の総和で除した値の逆数を補正係数とする。その後、請求項２の方法で交流電圧を印加した状態で各バッテリーの両極間電圧の交流成分を計測し、その計測値に比例する値に上記補正係数を乗算して得た補正後の値に基づいて各バッテリーの内部抵抗が初期値から変化したか否かを判定する。補正係数を乗算することにより、各バッテリーの内部抵抗の初期値がそれぞれ異なっている場合であっても同一の基準値と比較できるようになるため、内部抵抗の変化の有無を容易に判定することができる。
【発明を実施するための最良の形態】
【００１８】
（１）回路構成
図１は、本発明によるバッテリー群に対する交流電圧印加回路を、直列接続された複数のバッテリーＢ1．．Ｂnからなるバッテリー群に接続した状態を示した回路図である。このようなバッテリー群は、例えば通信設備を有する施設やオフィスビルなどにおいて商用電源のバックアップ用電源等として用いられている。本回路は、基本的にはバッテリー群に対して接続及び取り外し自在の独立した回路装置として構成できる。本回路を接続することによりバッテリー群に対し計測用の交流電圧を印加することができる。印加された交流電圧によって各バッテリーの両極間に生じる電圧の交流成分を適宜の計測器で計測し、その計測値から各バッテリーの内部抵抗の増大すなわち各バッテリーの劣化の有無を判定する。なお、本回路と計測器を一体化してバッテリー検査装置を構成してもよい。
【００１９】
図１に示す回路では、トランスＴを交流電圧源として用いており、その二次側から交流電圧Ｖinを得ている。トランスＴの一次コイルに交流電圧ＡＣＶを入力し、二次コイルの一方の出力端子を適宜の電流制限用抵抗Ｒを介してバッテリー群中の接続点Ｍに接続している。接続点Ｍは、複数のバッテリーからなるバッテリー群Ｂ1．．Ｂnを２つの部分バッテリー群に分ける接続点である。２つの部分バッテリー群は、第１部分バッテリー群Ｂ1．．Ｂkと、第２部分バッテリー群Ｂk＋1．．Ｂnであり、各群が少なくとも１つのバッテリーを含む。２つの部分バッテリー群にそれぞれ含まれるバッテリーの数は略同数であることが好ましいが、原理的には必ずしも同数でなくともよい。よって、隣り合うバッテリー間のいずれの接続点を、接続点Ｍとして選択してもよい。また原理的には各バッテリーの種類も同種（容量等の特性が一致）でなくともよい。
【００２０】
トランスＴの二次コイルにおいて逆極性である他方の出力端子は、第１コンデンサＣ１と第２コンデンサＣ２との接続点に接続されている。第１コンデンサＣ１と第２コンデンサＣ２は互いに直列接続されている。さらに、第１コンデンサＣ１のもう一方の端子１はバッテリー群の正極側に接続され、第２コンデンサＣ２のもう一方の端子２はバッテリー群の負極側に接続されている。
【００２１】
第１コンデンサＣ１及び第２コンデンサＣ２は、バッテリー群の両極間の直流電圧が印加されることと大容量であることから、図１に示すように電解コンデンサが好適であるが、必要な容量が得られれば他の種類のコンデンサでもよい。
【００２２】
図示しないが、本回路をバッテリー群に接続した状態でバッテリー群に対し外部直流電源によりフローティング充電を行っていてもよい。また図示しないが、バッテリー群の両極間に負荷を接続した状態で本回路を接続してもよい。
【００２３】
図１の回路において、交流電圧Ｖinを得るための交流電圧源はトランスに限られない。
【００２４】
（２）回路動作
＜正サイクル時の動作＞
トランスＴの二次コイルのバッテリー群側が正電位（図中、実線丸囲みの＋で示す）となるときを、仮に交流電圧Ｖinの正サイクルとする。このとき第１部分バッテリー群Ｂ1．．Ｂkには電流ｉ１が流れ、第２部分バッテリー群Ｂk＋1．．Ｂnには電流ｉ２が流れる。電流ｉ１は第１部分バッテリー群の負極側に流れ込む放電方向の電流であり、一方、電流ｉ２は第２部分バッテリー群の正極側に流れ込む充電方向の電流である。
【００２５】
第１部分バッテリー群に放電方向の電流ｉ１が流れることにより各バッテリーの内部抵抗による電圧降下が生じ、この場合の電圧降下は各バッテリーの極性とは逆方向に生じるため、第１部分バッテリー群の両端間電圧は若干降下する。
一方、第２部分バッテリー群に充電方向の電流ｉ２が流れることにより各バッテリーの内部抵抗による電圧降下が生じ、この場合の電圧降下は各バッテリーの極性と同方向に生じるため、第２部分バッテリー群の両端間電圧は若干上昇する。
従って、第１部分バッテリー群における電圧降下と第２部分バッテリー群における電圧上昇とが相殺されるためバッテリー群全体の両極間電圧は変化しない。
【００２６】
また、第１コンデンサＣ１及び第２コンデンサＣ２が電流の直流成分を遮断して交流成分のみを通過させることで、第１及び第２の部分バッテリー群の各バッテリーに対して交流電圧Ｖinを印加することができ、交流電流のみをバッテリー群に流すことができる。第１コンデンサＣ１及び第２コンデンサＣ２は、大容量の理想的コンデンサが好適であるが、両端間電圧を実質的に変動させない程度の容量をもつコンデンサであればよく、これにより両コンデンサの両端間電圧は変化しない。
【００２７】
このように交流電圧Ｖinの印加によって生じる２つの部分バッテリー群の各々の電圧変動分は互いに相殺され、２つのコンデンサの両端間電圧も一定に保持されるため、バッテリー群の出力電圧Ｖoutは変化しない。本回路によれば、バッテリー群の出力電圧Ｖoutに影響を与えることなく計測用の交流電圧Ｖinを各バッテリーに印加することができる。
【００２８】
＜負サイクル時の動作＞
負サイクル時は、トランスＴの二次コイルのコンデンサ側端子が正電位（図中、破線丸囲みの＋で示す）となる。正サイクル時とは電流及び電圧の極性が逆になるだけで、動作は全く同様である。
【００２９】
すなわち、第１部分バッテリー群Ｂ1．．Ｂkには電流ｉ３が流れ、第２部分バッテリー群Ｂk＋1．．Ｂnには電流ｉ４が流れる。電流ｉ３は第１部分バッテリー群の正極側に流れ込む充電方向の電流であり、一方、電流ｉ４は第２部分バッテリー群の負極側に流れ込む放電方向の電流である。
【００３０】
正サイクル時と同様に、交流電圧Ｖinの印加によって２つの部分バッテリー群の各々に生じる内部抵抗による電圧降下は互いに相殺され、また２つのコンデンサの両端間電圧も変化しないため、バッテリー群の出力電圧Ｖoutは変化しない。
【００３１】
＜電流等価回路による説明＞
図２（Ａ）及び（Ｂ）は、正サイクル時における電流ｉ１及びｉ２をそれぞれ表す等価回路である。図中の丸囲みの＋及び−の符号は電圧の極性を示す。
図２（Ａ）の等価回路において、第１部分バッテリー群Ｂ1．．Ｂkの両極間電圧（直流成分）と、第１コンデンサＣ１の両端電圧とは均衡している。そして、交流電圧Ｖinにより流れる電流ｉ１によって、第１部分バッテリー群の各バッテリーの内部抵抗の総和Ｒ１に電圧降下（ｉ１×Ｒ１＝Ｖin）が生じる。この電圧降下の向きは、第１部分バッテリー群の極性と逆である。よって、第１部分バッテリー群の実際の両端間電圧は、内部抵抗Ｒ１による電圧降下の分だけ小さくなる。
【００３２】
同様に、図２（Ｂ）の等価回路において、第２部分バッテリー群Ｂk＋1．．Ｂnの両極間電圧（直流成分）と、第２コンデンサＣ２の両端電圧とは均衡している。そして、交流電圧Ｖinにより流れる電流ｉ２によって、第２部分バッテリー群の各バッテリーの内部抵抗の総和Ｒ２に電圧降下（ｉ２×Ｒ２＝Ｖin）が生じる。この電圧降下の向きは、第２部分バッテリー群の極性と同じである。よって、第２部分バッテリー群の実際の両端間電圧は、内部抵抗Ｒ２による電圧降下の分だけ大きくなる。
【００３３】
図２（Ａ）と（Ｂ）の各等価回路における内部抵抗による電圧降下分が互いに相殺されることにより、第１と第２の部分バッテリー群を合わせた全体の両極間電圧は変化しない。
【００３４】
なお、第１部分バッテリー群と第２部分バッテリー群とが同種のバッテリーを同数含む場合は、それぞれの内部抵抗の総和が等しい（Ｒ１＝Ｒ２）からｉ１＝ｉ２である。
負サイクル時についても、逆極性となるが全く同様の等価回路となる。
【００３５】
図２に示す通り、各部分バッテリー群の両極間電圧（直流成分）と各コンデンサの両端電圧は均衡しており、交流電圧Ｖinが低電圧であっても交流成分による内部抵抗の計測には十分である。バッテリー群の規模や計測精度等の要求に応じて、適切な電流ｉ１〜ｉ４の大きさを設定し、それに基づいて必要な交流電圧Ｖinの大きさを決定する。実際上、図１に示した電流制限用抵抗Ｒによる電力損が生じるので、これを軽減するために交流電圧Ｖinを低電圧とすることが望ましい。
【００３６】
また、各部分バッテリー群と各コンデンサのそれぞれの両端電圧は必ず均衡するので、第１と第２の部分バッテリー群に含まれるバッテリーの数が異なっていてもよく、各バッテリーの種類が同種でなくともよい。これは、各部分バッテリー群の内部抵抗の総和が変わっても上記のコンデンサ両端電圧との均衡は維持されるためである。
【００３７】
＜内部インピーダンス等価回路による説明＞
図３は、第１部分バッテリー群の各バッテリーの内部抵抗Ｒ11、Ｒ12、及び第２部分バッテリー群の各バッテリーの内部抵抗Ｒ21、Ｒ22を表す等価回路である。
交流電圧Ｖinを印加した状態で各バッテリーの両極間電圧の交流成分を計測することは、各バッテリーの内部抵抗Ｒ11、Ｒ12、Ｒ21、Ｒ22の両端電圧Ｖr11、Ｖr12、Ｖr21、Ｖr22をそれぞれ計測することになる。
【００３８】
仮に、図３においてＲ11＞Ｒ12＝Ｒ21＝Ｒ22の状態のとき、各バッテリーの両極間電圧の交流成分を計測すると、内部抵抗Ｒ11をもつバッテリーの両極間電圧がそれ以外のバッテリーの両極間電圧より大きな値で計測される。その値が、全バッテリーについての計測平均値に比べて設計上正常とされる所定範囲を超えて上昇した場合、当該バッテリーの劣化と判定する。ただしこの例では、各部分バッテリー群が同種同数のバッテリーを含むものとする。
【００３９】
（３）バッテリー劣化判定ための計測例
バッテリー群に含まれる各バッテリーが同種でない場合は、各バッテリーの内部抵抗の初期値が異なることになる。このような場合、図１の回路を用いて計測した各バッテリーの両極間電圧の計測値に基づいて各バッテリーの内部抵抗の初期値からの変化を評価することが煩雑となる。そこで、以下のような方法を用いれば、計測値の解析が容易となり効率的な劣化判定が可能となる。
【００４０】
ここで図２を参照する。例えば、第１部分バッテリー群の内部抵抗の総和Ｒ１が、Ｒ11、Ｒ12及びＲ13で構成され（Ｒ１＝Ｒ11＋Ｒ12＋Ｒ13）、第２部分バッテリー群の内部抵抗の総和Ｒ２が、Ｒ21及びＲ22で構成されている（Ｒ２＝Ｒ21＋Ｒ22）とする。これらの値は、初期値ないしは劣化を生じていない状態の値である。このとき、交流電圧Ｖinが各内部抵抗に分圧される比を示す電圧係数はそれぞれ、Ｒ11／Ｒ１、Ｒ12／Ｒ１、Ｒ13／Ｒ１、Ｒ21／Ｒ２、Ｒ22／Ｒ２である。これらの電圧係数の逆数を、それぞれの内部抵抗をもつ各バッテリーについての「補正係数」として用いることとする。言い換えるならば、補正係数は、各バッテリーの内部抵抗（初期値）を、その部分バッテリー群に存在する全てのバッテリーの内部抵抗の総和（初期値）で除した値の逆数である。すなわち、この例における各補正係数は、Ｒ１／Ｒ11、Ｒ１／Ｒ12、Ｒ１／Ｒ13、Ｒ２／Ｒ21、Ｒ２／Ｒ22である。
【００４１】
その後、図１の回路を用いて各バッテリーに交流電圧Ｖinを印加し、計測器により各バッテリーの両極間電圧の交流成分を計測する。得られた各計測値に対しそれぞれの補正係数を乗算して補正する。より一般的には、得られた各計測値をそのまま用いる必要はなく、得られた各計測値をそれに比例する値に変換しその比例する値に対しそれぞれの補正係数を乗算して補正してもよい。このような演算は、計測器に内蔵された適宜の演算回路等を用いて自動的に行い、結果を出力してもよい。このように生の計測値を補正することにより、各バッテリーの内部抵抗の初期値が互いに異なっていても、補正後の値についてはいずれも同じ基準値と比較すればよいことになる。内部抵抗が増大して計測値が初期値から変化した場合は、補正後の値が基準値から変化するため、それに基づいて劣化を判定することができる。  
【図面の簡単な説明】
【００４２】
【図１】本発明によるバッテリー群の検査用交流電圧印加回路を、直列接続された複数のバッテリーからなるバッテリー群に接続した状態を示した回路図である。
【図２】（Ａ）及び（Ｂ）は、正サイクル時における電流ｉ１及びｉ２をそれぞれ表す等価回路である。
【図３】第１部分バッテリー群の各バッテリーの内部抵抗Ｒ11、Ｒ12、及び第２部分バッテリー群の各バッテリーの内部抵抗Ｒ21、Ｒ22を表す等価回路である。
【符号の説明】
【００４３】
Ｔ  トランス
Ｃ１  第１コンデンサ
Ｃ２  第２コンデンサ
Ｒ  電流制限用抵抗
Ｂ1．．Ｂk  第１部分バッテリー群
Ｂk＋1．．Ｂn  第２部分バッテリー群
【図１】
2007181365.tif 000003
【図２】
2007181365.tif 000004
【図３】
2007181365.tif 000005